(57)【特許請求の範囲】
【請求項１】
キャリアアグリゲーションにおけるセカンダリ基地局として動作する基地局であって、
マスタ基地局と連係したユーザ装置とのキャリアアグリゲーション通信を制御するキャリアアグリゲーション制御部と、
スプリットベアラを削除する際、前記ユーザ装置宛ての滞留データを前記マスタ基地局に転送するデータ転送部と、
を有する基地局であって、
前記データ転送部は、前記滞留データのエンドを示すエンドマーカを生成し、前記転送された滞留データの後に前記エンドマーカを前記マスタ基地局に送信し、
前記データ転送部は、前記マスタ基地局からの前記エンドマーカの送信指示に応答して、前記エンドマーカを生成及び送信する基地局。
【請求項２】
キャリアアグリゲーションにおけるマスタ基地局として動作する基地局であって、
セカンダリ基地局と連係したユーザ装置とのキャリアアグリゲーション通信を制御するキャリアアグリゲーション制御部と、
スプリットベアラを削除する際、前記セカンダリ基地局から前記ユーザ装置宛ての滞留データのエンドを示すエンドマーカを受信すると、前記滞留データを前記ユーザ装置に送信した後、前記受信したエンドマーカを用いて前記ユーザ装置に前記スプリットベアラのためのリオーダリング処理を停止するよう通知するリオーダリング停止通知部と、
を有する基地局。
【請求項３】
前記リオーダリング停止通知部は、ＰＤＣＰ（Ｐａｃｋｅｔ  Ｄａｔａ  Ｃｏｎｖｅｒｇｅｎｃｅ  Ｐｒｏｔｏｃｏｌ）  Ｃｏｎｔｒｏｌ  ＰＤＵ（Ｐａｃｋｅｔ  Ｄａｔａ  Ｕｎｉｔ）又は前記エンドマーカに対応するＰＤＣＰ  Ｄａｔａ  ＰＤＵによって、前記ユーザ装置に前記スプリットベアラのためのリオーダリング処理を停止するよう通知する、請求項２記載の基地局。
【請求項４】
前記キャリアアグリゲーション制御部が同一のスプリットベアラを削除して追加する場合、前記リオーダリング停止通知部は、前記リオーダリング処理を停止するよう前記ユーザ装置に通知しない、請求項２記載の基地局。
【請求項５】
マスタ基地局及びセカンダリ基地局との通信を制御する通信制御部と、
前記マスタ基地局及び前記セカンダリ基地局から受信したデータをリオーダリングするリオーダリング部と、
を有するユーザ装置であって、
前記リオーダリング部は、スプリットベアラの削除指示を受信すると、エンドマーカ待ちタイマを起動し、前記エンドマーカ待ちタイマの満了までに前記スプリットベアラのためのリオーダリング処理を停止することを指示するエンドマーカを受信すると、前記リオーダリング処理を停止するユーザ装置。
【請求項６】
前記リオーダリング部は、前記エンドマーカ待ちタイマの満了までに前記エンドマーカを受信できなかった場合、前記リオーダリング処理を自律的に停止する、請求項５記載のユーザ装置。
【請求項７】
前記エンドマーカ待ちタイマを用いたリオーダリング処理の自律的な停止は、前記マスタ基地局からの指示により実施される、請求項６記載のユーザ装置。
【請求項８】
複数のセカンダリ基地局とのキャリアアグリゲーション通信においてスプリットベアラを削除する際、前記リオーダリング部は、前記複数のセカンダリ基地局の全てから前記エンドマーカを受信すると、前記リオーダリング処理を停止する、請求項５乃至７何れか一項記載のユーザ装置。
【請求項９】
前記マスタ基地局が同一のスプリットベアラを削除して追加する場合、前記リオーダリング部は、前記受信したエンドマーカを破棄し、前記リオーダリング処理を継続する、請求項５乃至８何れか一項記載のユーザ装置。
【発明の詳細な説明】
【技術分野】
【０００１】
本発明は、無線通信システムに関する。
【背景技術】
【０００２】
現在、ＬＴＥシステムの次世代の通信規格として、ＬＴＥ−Ａｄｖａｎｃｅｄの高機能化が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）又はセカンダリセルグループ（ＳＣＧ）とが設定される。
【０００４】
プライマリセルは、ＬＴＥシステムのサービングセルと同様のセルであり、ユーザ装置とネットワークとの間の接続性を担保するためのセルである。他方、セカンダリセル又はセカンダリセルグループは、プライマリセルに追加されてユーザ装置に設定されるセル又はセルグループである。
【０００５】
ＬＴＥ  Ｒｅｌｅａｓｅ  １０（Ｒｅｌ−１０）までのキャリアアグリゲーションでは、図１の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１の右図に示されるように、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が検討されている。例えば、全てのコンポーネントキャリアを単一の基地局内に収容できない場合、Ｒｅｌ−１０と同程度のスループットを実現するためには、デュアルコネクティビティが効果的に利用されると考えられる。
【０００６】
このようなデュアルコネクティビティにおいて、スプリットベアラ（Ｓｐｌｉｔ  Ｂｅａｒｅｒ）が設定される。マスタ基地局又はマクロ基地局（ＭｅＮＢ）がベアラを分配するアンカーノードとして利用される場合、図２に示されるように、マスタ基地局は、Ｓ−ＧＷ（Ｓｅｒｖｉｎｇ  Ｇａｔｅｗａｙ）から受信したダウンリンクパケットを、自らのセルを介しユーザ装置に送信するパケットとセカンダリ基地局（ＳｅＮＢ）を経由してユーザ装置に送信するパケットとに分配する。
【０００７】
マスタ基地局をアンカーノードとしたスプリットベアラが設定される場合、図３に示されるように、ユーザ装置は、マスタ基地局のための物理レイヤ（ＰＨＹ）、ＭＡＣ（Ｍｅｄｉｕｍ  Ａｃｃｅｓｓ  Ｃｏｎｔｒｏｌ）レイヤ（ｍ−ＭＡＣ）及びＲＬＣ（Ｒａｄｉｏ  Ｌｉｎｋ  Ｃｏｎｔｒｏｌ）レイヤ（ｍ−ＲＬＣ）と、セカンダリ基地局のためのＰＨＹレイヤ、ｓ−ＭＡＣレイヤ及びｓ−ＲＬＣレイヤと、ｍ−ＲＬＣレイヤ及びｓ−ＲＬＣレイヤに接続されるＰＤＣＰ（Ｐａｃｋｅｔ  Ｄａｔａ  Ｃｏｎｖｅｒｇｅｎｃｅ  Ｐｒｏｔｏｃｏｌ）レイヤと有する。マスタ基地局から受信したパケットとセカンダリ基地局から受信したパケットとは、ＰＤＣＰレイヤにおいてリオーダリングされ、上位レイヤに送出される。
【０００８】
このように、スプリットベアラでは、受信側のＰＤＣＰレイヤが、ｍ−ＲＬＣレイヤとｓ−ＲＬＣレイヤとの双方から受信したＲＬＣ  ＳＤＵ（Ｓｅｒｖｉｃｅ  Ｄａｔａ  Ｕｎｉｔ）をリオーダリングする。当該リオーダリング処理では、リオーダリングタイマが用いられる。リオーダリングタイマは、ＰＤＣＰレイヤにおいて受信したＰＤＣＰ  ＰＤＵに抜けが検出されると起動され、当該リオーダリングタイマの起動中は後続のＰＤＣＰ  ＰＤＵに対する処理が停止される。当該リオーダリングタイマの値は、再送データを可能な限り救おうとする場合、Ｘ２インタフェースの遅延とＲＬＣ／ＭＡＣ再送に係る時間とを考慮して設定される。
【０００９】
図４に示される具体例では、ユーザ装置が、シーケンス番号（ＳＮ）が０であるパケットをセカンダリ基地局から受信できず、後続するシーケンス番号が１であるパケットをマスタ基地局から受信したケースが示されている。この場合、ユーザ装置は、ＳＮ＝０のパケットの抜けを検出することになり、当該検出に応答してリオーダリングタイマを起動する。図示された具体例では、リオーダリングタイマの値は、５回のＲＬＣ送信と、各ＲＬＣ送信に対する４回のＭＡＣ送信とに相当する期間に設定されている。リオーダリングタイマの満了までにＳＮ＝０のパケットを受信できた場合、ユーザ装置は、リオーダリングタイマを停止する。他方、リオーダリングタイマの満了までにＳＮ＝０のパケットを受信できなかった場合、ユーザ装置は、ＳＮ＝０のパケットの受信を断念する。
【先行技術文献】
【非特許文献】
【００１０】
【非特許文献１】３ＧＰＰ  Ｒ２−１３１７８２
【非特許文献２】３ＧＰＰ  Ｒ２−１４３３６５
【発明の概要】
【発明が解決しようとする課題】
【００１１】
スプリットベアラが設定されている場合、ユーザ装置のＰＤＣＰレイヤは、ＰＤＣＰ  ＳＮに抜けを検出すると、当該抜けに対応するＰＤＣＰ  ＰＤＵを他方のＲＬＣから受信することを期待する。一方、スプリットベアラが削除された後は、Ｒｅｌ−８と同様にＲＬＣレイヤでパケットのロスレスが保証される。このため、スプリットベアラの削除後は、ＰＤＣＰレイヤにおいて抜けを検出した場合、当該ＰＤＣＰ  ＰＤＵは送信側において破棄されたとみなす必要がある。すなわち、スプリットベアラ削除後は、スプリットベアラ用のリオーダリング処理を停止する必要がある。
【００１２】
一方、ユーザ装置は、スプリットベアラ削除後に何れのタイミングまでＰＤＣＰレイヤにおけるスプリットベアラに対するリオーダリング処理を継続すべきか、すなわち、何れのタイミングで当該リオーダリング処理を停止すべきかわからない。例えば、リオーダリング処理を早期に停止すると、ユーザ装置は、マスタ基地局から再送されるデータを受信することができなくなる。他方、リオーダリング処理を遅く停止すると、ユーザ装置は、受信待ちしていたデータが送信側で破棄されている場合、早期にこれを認識できず、不要な受信待ちをすることになる。このような事態を回避するため、３ＧＰＰ  Ｒ２−１４３３６５では、基地局から制御パケットを送信することによって、ユーザ装置に明示的にリオーダリング処理の停止を指示することが提案されている。しかしながら、このようにリオーダリング停止のための新規の制御信号を規定する場合、これを実現するための追加的なコストがユーザ装置や基地局に要求されることになる。
【００１３】
また、スプリットベアラにおいては、図５に示されるように、マスタ基地局は、コアネットワークから受信したダウンリンクデータをＰＤＣＰレイヤにおいて一旦保持し、必要に応じてセカンダリ基地局に転送している。一方、マスタ基地局内のＰＤＣＰレイヤが全てのダウンリンクデータを保持すると、マスタ基地局に搭載されるバッファのサイズが非常に大きなものとなり、基地局の実装コストを増大させる。マスタ基地局に必要なバッファサイズを削減するため、マスタ基地局からセカンダリ基地局に転送したデータをマスタ基地局から削除することが考えられている。この場合、スプリットベアラ又はセカンダリ基地局を削除する際、セカンダリ基地局からユーザ装置に送信未完了の滞留データはマスタ基地局に戻され、転送されたデータは、マスタ基地局又は他のセカンダリ基地局からユーザ装置に送信される。
【００１４】
しかしながら、スプリットベアラを削除する際、マスタ基地局は、セカンダリ基地局からマスタ基地局に転送されるデータについて、何れのパケットが転送データの最後のパケットであるか判定することができず、不要な転送待ちを招く可能性がある。例えば、マスタ基地局は、セカンダリ基地局に転送したＰＤＣＰ  ＰＤＵのシーケンス番号を記憶し、当該シーケンス番号に基づき転送データの最後のＰＤＣＰ  ＰＤＵを確認することも可能であるが、当該ＰＤＣＰ  ＰＤＵがセカンダリ基地局やＸ２インタフェース上で破棄された場合には、マスタ基地局は、これに気付くことができず、不要な転送待ちを行うことになる。
【００１５】
上述した問題点を鑑み、本発明の課題は、スプリットベアラ削除時のリオーダリング処理を効率的に制御するための技術を提供することである。
【課題を解決するための手段】
【００１６】
上記課題を鑑み、本発明の一態様は、キャリアアグリゲーションにおけるセカンダリ基地局として動作する基地局であって、マスタ基地局と連係したユーザ装置とのキャリアアグリゲーション通信を制御するキャリアアグリゲーション制御部と、スプリットベアラを削除する際、前記ユーザ装置宛ての滞留データを前記マスタ基地局に転送するデータ転送部とを有する基地局であって、前記データ転送部は、前記滞留データのエンドを示すエンドマーカを生成し、前記転送された滞留データの後に前記エンドマーカを前記マスタ基地局に送信する基地局に関する。
【００１７】
本発明の他の態様は、キャリアアグリゲーションにおけるマスタ基地局として動作する基地局であって、セカンダリ基地局と連係したユーザ装置とのキャリアアグリゲーション通信を制御するキャリアアグリゲーション制御部と、スプリットベアラを削除する際、前記セカンダリ基地局から前記ユーザ装置宛ての滞留データのエンドを示すエンドマーカを受信すると、前記滞留データを前記ユーザ装置に送信した後、前記受信したエンドマーカを用いて前記ユーザ装置に前記スプリットベアラのためのリオーダリング処理を停止するよう通知するリオーダリング停止通知部とを有する基地局に関する。
【００１８】
本発明の更なる他の態様は、マスタ基地局及びセカンダリ基地局との通信を制御する通信制御部と、前記マスタ基地局及び前記セカンダリ基地局から受信したデータをリオーダリングするリオーダリング部とを有するユーザ装置であって、前記リオーダリング部は、スプリットベアラの削除指示を受信すると、エンドマーカ待ちタイマを起動し、前記エンドマーカ待ちタイマの満了までに前記スプリットベアラのためのリオーダリング処理を停止することを指示するエンドマーカを受信すると、前記リオーダリング処理を停止するユーザ装置に関する。
【発明の効果】
【００１９】
本発明によると、スプリットベアラ削除時のリオーダリング処理を効率的に制御することができる。
【図面の簡単な説明】
【００２０】
【図１】図１は、キャリアアグリゲーションを示す概略図である。
【図２】図２は、マクロ基地局をアンカーノードとするスプリットベアラを示す概略図である。
【図３】図３は、スプリットベアラ設定時のダウンリンク通信のためのレイヤ構成を示す概略図である。
【図４】図４は、従来のスプリットベアラにおけるリオーダリング処理を示す概略図である。
【図５】図５は、従来のスプリットベアラ削除時のデータ転送処理を示す概略図である。
【図６】図６は、本発明の一実施例による無線通信システムを示す概略図である。
【図７】図７は、本発明の一実施例によるセカンダリ基地局の構成を示すブロック図である。
【図８】図８は、本発明の一実施例によるマスタ基地局の構成を示すブロック図である。
【図９】図９は、本発明の一実施例によるユーザ装置の構成を示すブロック図である。
【図１０】図１０は、本発明の一実施例によるスプリットベアラ削除時のリオーダリング制御の変形例を示す概略図である。
【図１１】図１１は、本発明の一実施例によるスプリットベアラ削除処理を示すシーケンス図である。
【発明を実施するための形態】
【００２１】
以下、図面に基づいて本発明の実施の形態を説明する。
【００２２】
後述される実施例では、デュアルコネクティビティをサポートするユーザ装置及び基地局が開示される。本発明を概略すると、デュアルコネクティビティによるスプリットベアラが設定されているユーザ装置、マスタ基地局及びセカンダリ基地局について、スプリットベアラが削除される際、セカンダリ基地局は、マスタ基地局から受信したユーザ装置宛ての送信未完了の滞留データをマスタ基地局に転送すると共に、滞留データの転送後に当該転送の完了を示すエンドマーカをマスタ基地局に送信する。マスタ基地局は、受信した滞留データをユーザ装置に送信すると共に、当該エンドマーカを用いてユーザ装置にリオーダリングの停止を通知する。ユーザ装置は、スプリットベアラ削除指示の受信から所定の期間内にリオーダリングの停止指示を受信するか、又は所定の期間の経過後に、当該スプリットベアラに対するリオーダリング処理を停止する。
【００２３】
これにより、マスタ基地局は滞留データの転送完了を認識することが可能になると共に、セカンダリ基地局により生成されたエンドマーカ又はこれを援用したリオーダリング停止信号をユーザ装置に通知することによって、新たな制御信号を定義することなく適時的なリオーダリング処理の停止が可能になる。
【００２４】
図６を参照して、本発明の一実施例による無線通信システムを説明する。図６は、本発明の一実施例による無線通信システムを示す概略図である。
【００２５】
図６に示されるように、無線通信システム１０は、ユーザ装置１００、マスタ基地局２００及びセカンダリ基地局３００を有する。無線通信システム１０は、ユーザ装置１００が複数のマスタ基地局２００及びセカンダリ基地局３００によりそれぞれ提供されるコンポーネントキャリアＣＣ＃１，ＣＣ＃２を用いて同時通信するデュアルコネクティビティをサポートし、図示されるように、ユーザ装置１００は、デュアルコネクティビティ機能を利用して、マスタ基地局（ＭｅＮＢ）２００とセカンダリ基地局（ＳｅＮＢ）３００との間で通信する。図示された実施例では、２つの基地局２００，３００しか示されていないが、一般には、無線通信システム１０のサービスエリアをカバーするよう多数の基地局２００，３００が配置される。
【００２６】
ユーザ装置１００は、複数の基地局２００，３００と同時通信するデュアルコネクティビティ機能を有する。典型的には、ユーザ装置１００は、図示されるように、スマートフォン、携帯電話、タブレット、モバイルルータ、ウェアラブル端末などの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００，３００との間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２７】
基地局２００，３００は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００がマスタ基地局（ＭｅＮＢ）又はプライマリ基地局として機能し、基地局３００がセカンダリ基地局（ＳｅＮＢ）として機能する。デュアルコネクティビティでは、マスタ基地局２００が、ユーザ装置１００と基地局２００，３００との間のデュアルコネクティビティによる同時通信を制御すると共に、上位のコアネットワーク（図示せず）との間の通信を制御する。
【００２８】
基地局２００，３００は、典型的には、ユーザ装置１００との間で無線信号を送受信するためのアンテナ、隣接する基地局２００，３００と通信するための通信インタフェース（Ｘ２インタフェースなど）、コアネットワークと通信するための通信インタフェース（Ｓ１インタフェースなど）、ユーザ装置１００との送受信信号を処理するためのプロセッサや回路などのハードウェアリソースにより構成される。後述される基地局２００，３００の各機能及び処理は、メモリ装置に格納されているデータやプログラムをプロセッサが処理又は実行することによって実現されてもよい。しかしながら、基地局２００，３００は、上述したハードウェア構成に限定されず、他の何れか適切なハードウェア構成を有してもよい。
【００２９】
次に、図７〜８を参照して、本発明の一実施例による基地局を説明する。本実施例では、マスタ基地局２００とセカンダリ基地局３００とが、連係してユーザ装置１００とキャリアアグリゲーション通信を実行する。
【００３０】
図７は、本発明の一実施例によるセカンダリ基地局の構成を示すブロック図である。図７に示されるように、セカンダリ基地局３００は、キャリアアグリゲーション制御部３１０及びデータ転送部３２０を有する。
【００３１】
キャリアアグリゲーション制御部３１０は、マスタ基地局２００と連係したユーザ装置１００とのキャリアアグリゲーション通信を制御する。具体的には、キャリアアグリゲーション制御部３１０は、マスタ基地局２００により設定されたセカンダリセル又はセカンダリセルグループを提供し、当該セルを介しユーザ装置１００とのキャリアアグリゲーション通信を実行する。例えば、ダウンリンクのスプリットベアラでは、マスタ基地局２００は、ベアラを分配するアンカーノードとして機能し、コアネットワークから受信したダウンリンクパケットを所定の配分比率（例えば、５０％など）に従って分割し、一方のパケットを自らのプライマリセルを介しユーザ装置１００に送信すると共に、他方のパケットをセカンダリ基地局３００に転送する。キャリアアグリゲーション制御部３１０は、マスタ基地局２００から受信したパケットをセカンダリセルを介しユーザ装置１００に送信する。
【００３２】
データ転送部３２０は、スプリットベアラを削除する際、ユーザ装置１００宛ての滞留データをマスタ基地局２００に転送し、当該滞留データのエンドを示すエンドマーカを生成し、転送された滞留データの後にエンドマーカをマスタ基地局２００に送信する。具体的には、キャリアアグリゲーション制御部３１０が、マスタ基地局２００からスプリットベアラの削除指示を受信すると、データ転送部３２０は、マスタ基地局２００から受信したユーザ装置１００宛てのパケットのうち、ユーザ装置１００への送信が完了せず、バッファに滞留しているパケットをマスタ基地局２００に返送する。このとき、データ転送部３２０は、転送する滞留パケットの最後のパケットを示すエンドマーカを生成し、滞留パケットの最後のパケットを送信した後、全ての滞留パケットを送信したことを示すため、生成したエンドマーカをマスタ基地局２００に送信する。すなわち、本実施例によると、エンドマーカは、サービングゲートウェイ（Ｓ−ＧＷ）などでなく、セカンダリ基地局３００により自律的に生成される。
【００３３】
一実施例では、データ転送部３２０は、マスタ基地局２００からのエンドマーカの送信指示に応答して、当該エンドマーカを生成及び送信してもよい。すなわち、エンドマーカの生成要否はマスタ基地局２００から指示されてもよい。例えば、マスタ基地局２００は、スプリットベアラの削除指示においてエンドマーカの生成要否を通知してもよい。この場合、受信したスプリットベアラの削除指示にエンドマーカの生成指示を検出すると、データ転送部３２０は、滞留パケットの最後のパケットを送信した後に、生成したエンドマーカを送信する。他方、受信したスプリットベアラの削除指示にエンドマーカの生成指示を検出しなかった場合、データ転送部３２０は、エンドマーカを送信することなく、滞留パケットを送信する。
【００３４】
図８は、本発明の一実施例によるマスタ基地局の構成を示すブロック図である。図８に示されるように、マスタ基地局２００は、キャリアアグリゲーション制御部２１０及びリオーダリング停止通知部２２０を有する。
【００３５】
キャリアアグリゲーション制御部２１０は、セカンダリ基地局３００と連係したユーザ装置３００とのキャリアアグリゲーション通信を制御する。具体的には、キャリアアグリゲーション制御部２１０は、セカンダリ基地局３００により提供されるセル又はセルグループをセカンダリセル又はセカンダリセルグループとして設定し、ユーザ装置１００とのキャリアアグリゲーション通信を実行する。例えば、ダウンリンクのスプリットベアラでは、マスタ基地局２００は、ベアラを分配するアンカーノードとして機能し、キャリアアグリゲーション制御部２１０は、コアネットワークから受信したダウンリンクパケットを所定の配分比率（例えば、５０％など）に従って分割し、一方のパケットを自らのプライマリセルを介しユーザ装置１００に送信すると共に、他方のパケットをセカンダリ基地局３００に転送する。
【００３６】
このとき、ユーザ装置１００とセカンダリセルとの間の通信状態の劣化を検出すると、キャリアアグリゲーション制御部２１０は、スプリットベアラの削除指示をセカンダリ基地局３００に通知する。スプリットベアラの削除指示を受信すると、セカンダリ基地局３００は、受信したユーザ装置１００宛てのパケットのうち、ユーザ装置１００への送信が完了せず、バッファに滞留しているパケットをマスタ基地局２００に返送する。当該滞留パケットを受信すると、キャリアアグリゲーション制御部２１０は、受信したパケットをユーザ装置１００に送信する。
【００３７】
リオーダリング停止通知部２２０は、スプリットベアラを削除する際、セカンダリ基地局３００からユーザ装置１００宛ての滞留データのエンドを示すエンドマーカを受信すると、当該滞留データをユーザ装置１００に送信した後、前記受信したエンドマーカを用いてユーザ装置１００にスプリットベアラのためのリオーダリング処理を停止するよう通知する。具体的には、キャリアアグリゲーション制御部２１０が、スプリットベアラの削除指示をセカンダリ基地局３００に通知すると、セカンダリ基地局３００は、滞留パケットをマスタ基地局２００に返送した後に、滞留データのエンドを示すエンドマーカをマスタ基地局２００に送信する。当該エンドマーカを受信すると、キャリアアグリゲーション制御部２１０は、セカンダリ基地局３００からの滞留データの転送処理が終了したと判定し、セカンダリ基地局３００とのスプリットベアラに関連するリソースを解放する。また、並行して、キャリアアグリゲーション制御部２１０は、受信した滞留パケットをプライマリセル、或いはマスタ基地局２００配下のセカンダリセルを介しユーザ装置１００に送信し、全ての滞留パケットを送信した後、受信したエンドマーカを用いてスプリットベアラのためのリオーダリング処理をユーザ装置１００に停止させるためのリオーダリング停止信号を生成し、ユーザ装置１００に送信する。
【００３８】
一実施例では、リオーダリング停止通知部２２０は、ＰＤＣＰ  Ｃｏｎｔｒｏｌ  ＰＤＵ又はエンドマーカに対応するＰＤＣＰ  Ｄａｔａ  ＰＤＵによって、ユーザ装置１００にスプリットベアラのためのリオーダリング処理を停止するよう通知してもよい。リオーダリング停止通知部２２０は、例えば、セカンダリ基地局３００から受信したエンドマーカを解釈し、これに基づき当該リオーダリング停止信号を生成してもよい。あるいは、リオーダリング停止通知部２２０は、セカンダリ基地局３００により生成されたエンドマーカを示すＰＤＣＰ  ＰＤＵをそのままユーザ装置１００に送信してもよい。
【００３９】
また、リオーダリング停止通知部２２０は、リオーダリング停止信号がユーザ装置１００に確実に到着することを担保するため、当該リオーダリング停止信号を破棄対象外のパケットとして送信してもよい。また、より早期に到着するように、リオーダリング停止通知部２２０は、当該リオーダリング停止信号を安全なＭＣＳ（Ｍｏｄｕｌａｔｉｏｎ  ａｎｄ  Ｃｏｄｉｎｇ  Ｓｃｈｅｍｅ）により送信してもよい。また、リオーダリング停止通知部２２０は、通常のパケットのＲＬＣ／ＭＡＣ再送回数よりも多いＲＬＣ／ＭＡＣ再送回数を設定することによって、リオーダリング停止信号を送信してもよい。
【００４０】
一実施例では、キャリアアグリゲーション制御部２１０が同一のスプリットベアラを削除して追加する場合、リオーダリング停止通知部２２０は、リオーダリング処理を停止するようユーザ装置１００に通知しなくてもよい。スプリットベアラの削除に伴ってユーザ装置１００がリオーダリング処理を停止した場合であっても、リオーダリング処理を再開しなければならいケースがある。一例として、同一のスプリットベアラを同時に削除及び追加するケースなどがあげられる。この場合、リオーダリング停止通知部２２０は、ユーザ装置１００にリオーダリング処理を停止させなくてもよい。例えば、キャリアアグリゲーション制御部２１０が、セカンダリ基地局３０１に対して設定されていたスプリットベアラを削除し、当該スプリットベアラを他のセカンダリ基地局３０２に対して設定する場合、リオーダリング停止通知部２２０は、当該スプリットベアラのためのリオーダリング処理をユーザ装置１００に継続させるようにしてもよい。
【００４１】
次に、図９〜１１を参照して、本発明の一実施例によるユーザ装置を説明する。図９は、本発明の一実施例によるユーザ装置の構成を示すブロック図である。
【００４２】
図９に示されるように、ユーザ装置１００は、通信制御部１１０及びリオーダリング部１２０を有する。
【００４３】
通信制御部１１０は、マスタ基地局２００及びセカンダリ基地局３００との通信を制御する。具体的には、通信制御部１１０は、マスタ基地局２００とセカンダリ基地局３００と同時通信するデュアルコネクティビティを実行し、マスタ基地局２００及びセカンダリ基地局３００との間でアップリンク／ダウンリンク制御チャネルやアップリンク／ダウンリンクデータチャネルなどの各種無線チャネルを送受信する。
【００４４】
リオーダリング部１２０は、マスタ基地局２００及びセカンダリ基地局３００から受信したデータをリオーダリングすると共に、スプリットベアラの削除指示を受信すると、エンドマーカ待ちタイマを起動し、エンドマーカ待ちタイマの満了までにスプリットベアラのためのリオーダリング処理を停止することを指示するエンドマーカを受信すると、当該リオーダリング処理を停止する。
【００４５】
具体的には、通信制御部１１０が、マスタ基地局２００又はセカンダリ基地局３００からスプリットベアラ又はこれに対応するセカンダリセルグループを削除するＲＲＣ（Ｒａｄｉｏ  Ｒｅｓｏｕｒｃｅ  Ｃｏｎｔｒｏｌ）メッセージを受信すると、リオーダリング部１２０は、エンドマーカ待ちタイマを起動して、マスタ基地局２００からのエンドマーカ又はリオーダリング停止信号の受信を待機する。リオーダリング部１２０は、エンドマーカ待ちタイマの満了までにエンドマーカ又はリオーダリング停止信号を受信した場合、エンドマーカ待ちタイマの満了前に当該スプリットベアラに対するリオーダリング処理を停止する。他方、エンドマーカ待ちタイマの満了までにエンドマーカ又はリオーダリング停止信号を受信できなかった場合、リオーダリング部１２０は、当該スプリットベアラに対するリオーダリング処理を自律的に停止する。このように、セカンダリ基地局３００により生成されたエンドマーカ又は当該エンドマーカを援用して生成されたリオーダリング停止信号を利用することによって、ユーザ装置１００にリオーダリング処理を停止させるための新規の制御パケットを定義する必要がなくなる。尚、エンドマーカ待ちタイマはベアラ毎に管理されてもよく、設定値もベアラ毎に設定されてもよい。
【００４６】
一実施例では、エンドマーカ待ちタイマを用いたリオーダリング処理の自律的な停止は、マスタ基地局２００からの指示により実施されてもよい。すなわち、当該エンドマーカ待ちタイマを用いたリオーダリング処理の自律的な停止を実施するか否かは、マスタ基地局２００からユーザ装置１００又はセカンダリ基地局３００にＵＥ単位、或いはベアラ単位で指示されてもよい。
【００４７】
現在の仕様では、１つのマスタ基地局２００と１つのセカンダリ基地局３００とによるスプリットベアラが規定されている。一方、将来的には、１つのマスタ基地局２００と２つ以上のセカンダリ基地局３００とが連係したスプリットベアラが実施されることが想定される。このような想定において、一実施例では、複数のセカンダリ基地局３００とのキャリアアグリゲーション通信においてスプリットベアラを削除する際、リオーダリング部１２０は、複数のセカンダリ基地局３００の全てからエンドマーカを受信すると、リオーダリング処理を停止するようにしてもよい。
【００４８】
例えば、図１０に示されるように、２つのセカンダリ基地局３００とのスプリットベアラが削除されると、マスタ基地局２００は、これら２つのセカンダリ基地局３００のそれぞれから滞留データとエンドマーカとを受信し、受信した滞留データとエンドマーカとをユーザ装置１００に送信する。リオーダリング部１２０は、マスタ基地局２００から受信したエンドマーカの個数をカウントし、当該エンドマーカの個数と削除されるスプリットベアラの個数とが一致したとき、全てのセカンダリ基地局３００からエンドマーカを受信したと判定し、当該スプリットベアラに対するリオーダリング処理を停止してもよい。
【００４９】
あるいは、セカンダリ基地局３００又はセカンダリセルグループのインデックスが、マスタ基地局２００から送信されるエンドマーカに付与される場合、リオーダリング部１２０は、受信したエンドマーカが何れのセカンダリ基地局３００から送信されたか判断し、全てのセカンダリ基地局３００からエンドマーカを受信した場合、当該スプリットベアラに対するリオーダリング処理を停止してもよい。
【００５０】
一実施例では、マスタ基地局２００が同一のスプリットベアラを削除して追加する場合、リオーダリング部１２０は、受信したエンドマーカを破棄し、リオーダリング処理を継続してもよい。スプリットベアラの削除に伴ってユーザ装置１００がリオーダリング処理を停止した場合であっても、リオーダリング処理を再開しなければならいケースがある。一例として、同一のスプリットベアラを同時に削除及び追加するケースなどがあげられる。この場合、リオーダリング部１２０は、マスタ基地局２００からエンドマーカを受信しても、これを破棄してリオーダリング処理を継続してもよい。例えば、マスタ基地局２００が、セカンダリ基地局３０１に対して設定されていたスプリットベアラを削除し、当該スプリットベアラを他のセカンダリ基地局３０２に対して設定する場合、リオーダリング部１２０は、当該スプリットベアラのためのリオーダリング処理を継続してもよい。
【００５１】
次に、図１１を参照して、本発明の一実施例によるスプリットベアラ削除処理を説明する。図１１は、本発明の一実施例によるスプリットベアラ削除処理を示すシーケンス図である。ここで、ユーザ装置１００、マスタ基地局２００及びセカンダリ基地局３００に対して、デュアルコネクティビティによるスプリットベアラが設定されているとする。
【００５２】
図１１に示されるように、ステップＳ１０１において、ユーザ装置１００は、メジャメント制御の下において、マスタ基地局２００にセカンダリセルの通信品質が劣化したことを示すメジャメントレポートを送信する。
【００５３】
ステップＳ１０２において、マスタ基地局２００は、受信したメジャメントレポートに基づきセカンダリ基地局３００とのスプリットベアラを削除することを決定し、スプリットベアラ削除指示（ＳｅＮＢ  ｒｅｌｅａｓｅ  ｒｅｑｕｅｓｔ）と滞留データ転送要求（ｄａｔａ  ｆｏｒｗａｒｄｉｎｇ  ｒｅｑｕｅｓｔ）とをセカンダリ基地局３００に送信する。
【００５４】
ステップＳ１０３において、セカンダリ基地局３００は、受信したスプリットベアラ削除指示に対する送達確認（ＳｅＮＢ  ｒｅｌｅａｓｅ  ｒｅｑｕｅｓｔ  ＡＣＫ）をマスタ基地局２００に返送する。
【００５５】
ステップＳ１０４において、セカンダリ基地局３００は、滞留データ転送要求に応答して、マスタ基地局２００から受信したユーザ装置１００宛てのデータのうち、ユーザ装置１００への送信が未完了である滞留データをマスタ基地局２００に返送し、全ての滞留データを転送した後、滞留データのエンドを示すエンドマーカをマスタ基地局２００に送信する。
【００５６】
ステップＳ１０５において、マスタ基地局２００は、スプリットベアラ削除指示（ＲＲＣ  ｃｏｎｎｅｃｔｉｏｎ  ｒｅｃｏｎｆｉｇｕｒａｔｉｏｎ）をユーザ装置１００に送信する。当該スプリットベアラ削除指示を受信すると、ユーザ装置１００は、エンドマーカ待ちタイマを起動してエンドマーカの受信を待機する。
【００５７】
ステップＳ１０６において、ユーザ装置１００は、スプリットベアラ削除指示に応答して、スプリットベアラのためのリソースを解放し、スプリットベアラ削除完了通知（ＲＲＣ  ｃｏｎｎｅｃｔｉｏｎ  ｒｅｃｏｎｆｉｇｕｒａｔｉｏｎ  ｃｏｍｐｌｅｔｅ）をマスタ基地局２００に送信する。
【００５８】
ステップＳ１０７において、マスタ基地局２００は、スプリットベアラの削除が完了したことをセカンダリ基地局３００に通知する。
【００５９】
ステップＳ１０８において、マスタ基地局２００は、セカンダリ基地局３００から転送された滞留データをユーザ装置１００に送信し、全ての滞留データを転送した後、ユーザ装置１００にリオーダリング処理を停止させるためのリオーダリング停止信号又はエンドマーカを送信する。エンドマーカ待ちタイマの満了前に当該リオーダリング停止信号又はエンドマーカを受信すると、ユーザ装置１００は、エンドマーカ待ちタイマを停止してリオーダリング処理を停止する。他方、エンドマーカ待ちタイマの満了までに当該リオーダリング停止信号又はエンドマーカを受信できなかった場合、ユーザ装置１００は、エンドマーカ待ちタイマの満了に応答してリオーダリング処理を自律的に停止する。
【００６０】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００６１】
１０  無線通信システム
１００  ユーザ装置
２００  マスタ基地局
３００  セカンダリ基地局
【図１】
0006298745.tif 000002
【図２】
0006298745.tif 000003
【図３】
0006298745.tif 000004
【図４】
0006298745.tif 000005
【図５】
0006298745.tif 000006
【図６】
0006298745.tif 000007
【図７】
0006298745.tif 000008
【図８】
0006298745.tif 000009
【図９】
0006298745.tif 000010
【図１０】
0006298745.tif 000011
【図１１】
0006298745.tif 000012